(57)【特許請求の範囲】
【請求項１】
セットされた原稿の読み込みを行う原稿読み込み手段と、読み込んだ原稿の画像データを記憶する画像記憶手段と、通信回線を介して接続される通信手段とを備え、前記原稿読み込み手段で読み込んだ原稿の画像データを前記通信手段により送信中に発生した送信トラブルを検知するトラブル検知手段と、前記トラブル検知手段により送信トラブルを検出すると前記原稿読み込み手段の読み込み動作と前記通信手段の送信動作を中断し、然る後に再度前記原稿読み込み手段に原稿がセットされると、前記原稿読み込み手段による読み込み動作と前記通信手段の送信動作を再開する画像情報伝送装置において、
送信トラブルにより送信が中断するまでに上記通信手段が送信を完了した原稿枚数を記憶する送信枚数記憶手段と、上記原稿読み込み手段が読み込みを完了し上記画像記憶手段に記憶済みの原稿枚数を記憶する読み込み枚数記憶手段と、を備え、全原稿を再送信する際には、上記送信枚数記憶手段の記憶情報に基づき、送信データに対し未送信原稿と送信済原稿を識別するための識別情報を付加することを特徴とする画像情報伝送装置。
【請求項２】
送信トラブルにより送信が中断し上記原稿読み込み手段に原稿をセットして再送信を行う際、上記読み込み枚数記憶手段の記憶する読み込み済原稿枚数に基づき、上記原稿読み込み手段にセットされた原稿のうち、読み込み済原稿は読み込みを行わず、未読み込み原稿のみ読み込みを行うことを特徴とする請求項１に記載の画像情報伝送装置。
【請求項３】
送信トラブルにより送信が中断し上記原稿読み込み手段に原稿をセットして再送信を行う際、上記原稿読み込み手段が読み込んだ所定領域の読み込み情報と上記画像記憶手段に記憶された対応する領域の画像情報を比較し、前記読み込み情報と前記画像情報が一致する原稿については原稿読み込みを行わず、一致しない原稿のみ読み込みを行うことを特徴とする請求項１に記載の画像情報伝送装置。
【発明の詳細な説明】
【０００１】
【発明の属する技術分野】
本発明は、ファクシミリ装置に代表される画像情報伝送装置、ファクシミリ機能に代表される画像情報伝送受信機能を備えたプリンタ、デジタル複写機等の装置に関し、さらに詳しくは、送信トラブルが発生した後に、再度送信を行うことのできる画像情報伝送受信装置又は画像情報伝送受信機能を備えた装置に関するものである。
【０００２】
【従来の技術】
従来、ファクシミリ装置に代表される画像情報伝送受信装置又はファクシミリ機能に代表される画像情報伝送受信機能を有する装置（以降、ファクシミリ装置、ファクシミリ機能で総称する）において、原稿等を送信中に送信エラーが生じた場合、使用者がどの頁から送信を再開すればよいのかを確認し、原稿を送信エラーが生じた頁からセットし直して、再度送信を行っていたために、使用者の原稿のハンドリングが容易ではなく、煩雑な作業を強いられていた。
【０００３】
そこで、この問題を解決するために、特開平７−１１５５２８号公報に記載の技術が提案されている。
【０００４】
すなわち、同公報によれば、ファクシミリ装置を、原稿自動送り手段、読み込み手段、イメージメモリ、送信手段、送信エラー検出手段及びエラーページメモリから構成し、送信エラー検出手段により送信エラーが検出されると、送信エラーが生じたページをエラーページメモリに格納した後に送信を中断して、エラーページメモリに格納したデータに基づいて、原稿自動搬送装置に載置セットされた全原稿のうち、送信エラー直前のページまでは読み込み手段による読み込み動作を行わず、原稿を空送りし、送信エラーの生じたページから再度読み込みを行う。
【０００５】
これにより、使用者の原稿ハンドリングは、エラーページを使用者自ら確認することなく、全原稿をそのページ順に全てを再度セットするだけで適切に未送信の原稿を送信することができるという技術が開示されている。また、エラー発生ページがページカウンタにより判明しているので、表示部にエラー発生ページを表示させてもよい旨の記載がある。
【０００６】
【発明が解決しようとする課題】
ところで、ファクシミリ装置の中には、複数ページの原稿データをハードディスク等の大容量記憶手段に一旦記憶させておき、例えば所定時間毎や通信回線が空くと送信する送信方法が知られている（以降、メモリ送信と称する）。
【０００７】
従って、上述したメモリ送信が可能なファクシミリ装置や、１ページの原稿を送信完了するまでは当該原稿データに係る画像データをメモリ内に保存する形態のファクシミリ装置に、上記公報の技術を組み合わせて、トラブル時の原稿ハンドリング動作を容易にすることを試みるとしても、既にメモリ内に送信エラーの生じたページや未送信の原稿データが記憶されているにも関わらず、再度、送信エラーの生じた原稿から読み込む必要が生じる。
【０００８】
この場合、送信エラーの生じたページ以後の原稿データを消去する場合や、送信エラーの生じたページ以後の原稿データを別途記憶することとなる。
【０００９】
まず前者の場合では、前に読み込んでいたデータを再度読み込む必要があるので、ファクシミリ装置から再送信するのに要する時間が長くなってしまう一方、後者の場合では、メモリ内に同一の原稿データが複数存在することとなり、送信に対するページ管理が煩雑なものとなったり、必要なメモリ容量が増大するという問題を招来することとなる。
【００１０】
さらに上述した問題は、送信側のみならず、受信側にも影響し、送信側で送信トラブルが発生し、複数回送信することになると、メモリ内に同一のデータを記憶することとなり、また受信側では同一の画像データを出力してしまったり、さらに出力の中から所望のものを取捨選択するという煩雑な作業を強いられるといった種々の問題を招来することとなる。
【００１１】
本発明は、上述した従来技術の問題点を解決するために発明されたものであり、その目的とするところは、送信トラブルが発生し、再送信する際に、既に読み込まれているが送信を完了していない原稿のデータを効率的に利用することで、装置の利用効率を高め、煩雑な原稿ハンドリングが不要となる画像情報伝送装置を提供することにある。
【００１２】
【課題を解決するための手段】
前記目的を達成するため、本発明に係る第1番目の発明による画像情報伝送装置は、セットされた原稿の読み込みを行う原稿読み込み手段と、読み込んだ原稿の画像データを記憶する画像記憶手段と、通信回線を介して接続される通信手段とを備え、前記原稿読み込み手段で読み込んだ原稿の画像データを前記通信手段により送信中に発生した送信トラブルを検知するトラブル検知手段と、前記トラブル検知手段により送信トラブルを検出すると前記原稿読み込み手段の読み込み動作と前記通信手段の送信動作を中断し、然る後に再度前記原稿読み込み手段に原稿がセットされると、前記原稿読み込み手段による読み込み動作と前記通信手段の送信動作を再開する画像情報伝送装置において、送信トラブルにより送信が中断するまでに上記通信手段が送信を完了した原稿枚数を記憶する送信枚数記憶手段と、上記原稿読み込み手段が読み込みを完了し上記画像記憶手段に記憶済みの原稿枚数を記憶する読み込み枚数記憶手段と、を備え、全原稿を再送信する際には、上記送信枚数記憶手段の記憶情報に基づき、送信データに対し未送信原稿と送信済原稿を識別するための識別情報を付加することを特徴とするものである。
【００１６】
同じく、第２番目の発明による画像情報伝送装置は、第１番目の発明に従属するものとして、送信トラブルにより送信が中断し上記原稿読み込み手段に原稿をセットして再送信を行う際、上記読み込み枚数記憶手段の記憶する読み込み済原稿枚数に基づき、上記原稿読み込み手段にセットされた原稿のうち、読み込み済原稿は読み込みを行わず、未読み込み原稿のみ読み込みを行うことを特徴とするものである。
【００１７】
同じく、第３番目の発明による画像情報伝送装置は、第１番目の発明に従属するものとして、送信トラブルにより送信が中断し上記原稿読み込み手段に原稿をセットして再送信を行う際、上記原稿読み込み手段が読み込んだ所定領域の読み込み情報と上記画像記憶手段に記憶された対応する領域の画像情報を比較し、前記読み込み情報と前記画像情報が一致する原稿については原稿読み込みを行わず、一致しない原稿のみ読み込みを行うことを特徴とするものである。
【００２１】
【発明の実施の形態】
以下に、デジタルコピー機能やプリンタ機能、ファクシミリ機能を備えたデジタル画像形成装置（デジタル複合機）に対し本発明を適用した場合の実施形態について説明を行う。
【００２２】
図１５は、デジタル画像形成装置３０の全体構成を示す断面図である。図１５に示すように、デジタル画像形成装置３０は、大きく分けて、スキャナ部３１、レーザ記録部３２から構成されている。
【００２３】
スキャナ部３１は、透明ガラスからなる原稿載置台３５、原稿載置台３５上へ自動的に原稿を供給搬送するための両面対応自動原稿送り装置（ＲＡＤＦ）３６、及び原稿載置台３５上に載置された原稿の画像を走査して読み込むための原稿画像読み込みユニット、すなわちスキャナユニット４０から構成されている。
【００２４】
このスキャナ部３１にて読み込まれた原稿画像は、画像データとして後述する画像データ入力部へと送られ、画像データに対して所定の画像処理が施される。
【００２５】
用紙収納・搬送部には、第１カセット５１、第２カセット５２、第３カセット５３、及びマルチ手差しトレイ５４を有しており、さらにこれら用紙収納部から送り出され画像が記録された用紙の裏面側に画像を記録させるための両面複写ユニット５５が備えられている。
【００２６】
この用紙収納・搬送部における各カセットには、用紙の束がサイズ毎に収容されており、操作者が所望するサイズが収容されている上記カセットを選択すると、そのカセット内の用紙束の上から１枚ずつ分離給送され、搬送経路５０を経由して順次レーザ記録部３２の画像形成部へ向けて搬送される。
【００２７】
上述したＲＡＤＦ３６は、所定の原稿トレイ上に複数枚の原稿を一度にセットしておき、セットされた原稿を１枚ずつ自動的にスキャナユニット４０の原稿載置台３５上へ給送するためのものである。
【００２８】
またＲＡＤＦ３６は、オペレータの選択に応じて、原稿の片面又は両面をスキャナユニット４０に読み込ませるように、片面原稿のための搬送経路、両面原稿のための搬送経路、搬送経路切り換え手段などから構成されている。このＲＡＤＦ３６については、従来から数多くの出願、商品化がなされているので、これ以上の説明は省略する。
【００２９】
スキャナユニット４０は、原稿面上を露光するランプリフレクタアセンブリ４１と、原稿からの反射光像を光電変換素子（ＣＣＤ）４４に導くための第１の反射ミラー４２ａからなる第１の走査ユニット４０ａ、さらなる原稿からの反射光像を光電変換素子４４に導くための第２、第３反射ミラー４２ｂ、４２ｃからなる第２の走査ユニット４０ｂ、原稿からの反射光像を電気的画像信号に変換する素子（ＣＣＤ）４４上に結像するための光学レンズ体４３、原稿からの反射光像を電気的画像信号に変換する素子４４から構成される。
【００３０】
スキャナ部３１は、上記ＲＡＤＦ３６とスキャナユニット４０の関連した動作により、原稿載置台３５上に読み込むべき原稿を順次載置させながら、原稿載置台３５の下面に沿ってスキャナユニット４０を移動させて原稿画像を読み込むように構成されている。
【００３１】
原稿画像をスキャナユニット４０で読み込むことにより得られた画像データは、後述する画像処理部へ送られ、各種処理が施された後、画像データをレーザ記録部３２のレーザ書き込みユニット４６に与えて、電子写真プロセスにおいて感光体ドラム４８上に可視画像として再現した後、用紙上に画像を転写形成する。
【００３２】
レーザ記録部３２は用紙収納・搬送、レーザ書き込みユニット４６及び画像を形成するための電子写真プロセス部４７を備えている。また、レーザ書き込みユニット４６は、上述のメモリから画像データに応じたレーザ光を出射する半導体レーザ、レーザ光を等角速度偏向するポリゴンミラー、等角速度偏向されたレーザ光が電子写真プロセス部４７の感光体ドラム４８上で等速度偏向されるように補正するｆ−θレンズ等を備えている。
【００３３】
電子写真プロセス部４７は、周知の態様に従い、感光体ドラム４８の周囲に帯電器、現像器、転写器、剥離器、クリーニング器、除電器及び定着器４９を配した構成となっている。
【００３４】
定着器４９より画像が形成される用紙の搬送方向下流側には用紙排出搬送路が設けられており、この用紙排出搬送路は後処理装置３４へ通じている搬送路５７と、両面複写ユニット５５へ通じている搬送路５６とに分岐している。
【００３５】
そして、画像メモリから読み出された画像データは、レーザ書き込みユニット４６によってレーザ光線を走査させることにより感光体ドラム４８の表面上に静電潜像として形成され、トナーにより可視像化されたトナー像は多段給紙ユニット３３から搬送された用紙の面上に静電転写され定着される。次いで、画像が形成された用紙は定着器４９から搬送路５７を介して後処理装置３４へ搬送されたり、搬送路５６を介して両面複写ユニット５５へと選択的に搬送される。
【００３６】
後処理装置３４は、第１の排出トレイ３４１と、第２の排出トレイ３４２が、図中装置の左側において、上下関係をもって並設されており、デジタル画像形成装置３０において画像が記録された用紙を搬送路５７から受け取る。
【００３７】
後処理装置３４内には、図示しない用紙受け取り口、第１の搬送経路、第２の搬送経路、第１の切り換えゲート、第２の切り換えゲート、第３搬送経路（反転経路）、第１排出ローラ、第２排出ローラ等が配置されており、各種排出モードに対応している。
【００３８】
次に、このデジタル画像形成装置３０における、読み込まれた原稿画像情報に画像処理を行うための画像処理部の構成及び機能について説明する。図１６はデジタル画像形成装置３０を構成している各種ユニット部、画像処理部などの全体ブロック構成図であり、略中央に位置するメイン中央演算処理装置（ＣＰＵ）４０１により各ユニット部毎に搭載されたサブ中央演算処理装置（ＣＰＵ）１０１、２０１等と連携を取りながら動作管理している状態を示す図である。
【００３９】
そして、大きくは図１６の図中略右上に位置する操作パネルを管理制御するオペレーションパネルボード１００と、略左上に位置するデジタル画像形成装置３０を構成する各ユニットを管理制御するマシンコントロールボード２００と、略左下に位置する原稿画像を電気的に読み込み電子データとするＣＣＤボード３００と、ＣＣＤボード３００にて電子化された原稿画像に対して所定の画像処理を施す図中略中央に位置するメイン画像処理ボード４００と、このメイン画像処理ボード４００にて処理された画像情報に対してさらに所定の画像処理を施すサブ画像処理ボード５００と、さらに略右上に位置するサブ画像処理ボード５００にインターフェイスを介して接続された他の拡張ボード群６００（プリンタボード６０１、機能拡張ボード６０２、ＦＡＸボード６０３）などから構成されている。以下、各ボード毎に管理制御している内容について説明する。
【００４０】
（オペレーションパネルボード）
オペレーションパネルボード１００は、基本的にサブの中央演算処理装置１０１により制御されており、操作パネル１０３上に配置されたＬＣＤ表示部１０４の表示画面、各種モードに関する指示を入力する操作キー群１０５からの操作入力などを管理している。そして操作キー群１０５から入力されたデータ、ＬＣＤ画面に表示させる情報など操作パネルにおける各種制御情報を記憶しておくメモリ１０２が設けられている。
【００４１】
当該構成により、サブの中央演算処理装置１０１は、メインの中央演算処理装置４０１との制御データ等のデータ通信を行い、デジタル画像形成装置３０の動作指示を行う。また、メインの中央演算処理装置４０１からは、デジタル画像形成装置３０の動作状態を示す制御信号等をサブの中央演算処理装置１０１へ転送することで、操作者に対し、操作パネル１０３のＬＣＤ画面１０４を通して装置が現在どのような状態にあるかという動作状態を表示させるようになっている。
【００４２】
（マシンコントロールボード）
マシンコントロールボード２００は、サブの中央演算処理装置２０１により全体が制御されておりＡＤＦ、ＲＡＤＦなどの自動原稿送り装置２０３、原稿画像を読み込むための読み込みスキャナ部２０４、画像情報を画像として再現するためのプロセス部２０５、画像が記録される用紙を収納部からプロセス部へ向かって順次搬送する給紙搬送部２０６、画像が記録された用紙を反転させて用紙の両面に画像が形成されるように用紙を反転搬送する両面ユニット２０７、画像が記録された用紙に対してステープルなどの後処理を行うフィニッシャ２０８などを管理している。
【００４３】
（ＣＣＤボード）
ＣＣＤボード３００は、原稿画像を電気的に読み込むためのＣＣＤ３０１、ＣＣＤ３０１を駆動する回路（ＣＣＤゲートアレイ）３０２、ＣＣＤ３０１から出力されるアナログデータのゲイン調整などを行うアナログ回路３０３、ＣＣＤ３０１のアナログ信号をデジタル信号に変換して電子データとして出力するＡ／Ｄ変換器３０４などから構成され、制御管理はメインの中央演算処理装置４０１により行なわれている。
【００４４】
（メイン画像処理ボード）
メイン画像処理ボード４００は、メインの中央演算処理装置４０１により制御され、前記ＣＣＤボード３００から送られてきた原稿画像の電子データをもとに、画像の階調性を所望の状態で表現できるように、シェーディング補正、濃度補正、領域分離、フィルタ処理、ＭＴＦ補正、解像度変換、電子ズーム（変倍処理）、ガンマ補正など多値の画像データの状態のまま処理を施す多値画像処理部４０２、処理が施された画像データあるいは処理の手順管理など各種制御情報を記憶しておくメモリ４０３、処理が施された画像情報により画像を再現するためにレーザ書き込みユニット４６側へとデータを転送制御するレーザコントロール４０４などから構成される。
【００４５】
（サブ画像処理ボード）
サブ画像処理ボード５００は、メイン画像処理ボード４００とコネクタ接続され、メイン画像処理ボード４００上のメインの中央演算処理装置４０１により制御された、２値画像処理部５０１、画像処理の施された２値画像情報、あるいは処理上での制御情報等を記憶管理するメモリ及びメモリを制御するゲートアレイ５０２、複数枚の原稿画像情報を記憶管理しておき、複数枚の原稿画像を繰り返し所望部数の数だけ読み出して複数の複写物を生成するためのハードディスク及びハードディスクを制御するゲートアレイ５０３、外部インターフェイスとしてのＳＣＳＩ及びＳＣＳＩを制御するゲートアレイ５０４などから構成される。
【００４６】
また前述の２値画像処理部５０１は、多値画像情報を２値画像情報に変換する処理部、画像を回転する処理部、２値画像の変倍処理を行う２値変倍（ズーム）処理部などから構成され、さらにファックス画像を通信手段を介して送受信できるようにファックスインターフェイスも備えている。
【００４７】
（拡張ボード）
拡張ボード６００としては、パーソナルコンピュータなどから送られてくるデータをデジタル画像形成装置のプリンタ部からプリンタモードとして出力可能とするためのプリンタボード６０１、デジタル画像形成装置の編集機能を拡張してデジタル画像形成装置の特徴を有効活用するための機能拡張ボード６０２、デジタル画像形成装置のスキャナ部から読み込んだ原稿画像を相手先に対して送信したり、相手先から送られてきた画像情報をデジタル画像形成装置のプリンタ部から出力することを可能にするファクシミリボード６０３などがある。
【００４８】
以下、デジタル画像形成装置のファックスモードとしての画像データの処理、画像データの流れについてさらに詳しく説明する。
【００４９】
（ファックスモード）
ファックスモードには、相手先に対する原稿の送信と、相手先からの原稿の受信に対する処理がある。まず相手先に対する原稿の送信について説明すると、デジタル画像形成装置３０のＲＡＤＦ３６の所定位置にセットされた送信原稿は、１枚ずつスキャナユニット４０の原稿載置台３５上へと順次供給され、送信原稿の画像は先に説明したスキャナユニット４０の構成により順次読み込まれ、８ビットの電子データとしてメイン画像処理ボード４００へと転送される。
【００５０】
メイン画像処理ボード４００に転送された８ビットの電子データは、８ビットの電子データとして多値画像処理部４０２上で所定の処理が施される。そして、この８ビットの電子画像データは、次にメイン画像処理ボード４００側のコネクタ４０５からサブ画像処理ボード５００側のコネクタ５０５を介してサブ画像処理ボード５００側に送られ、２値画像処理部５０１の多値２値変換部において、誤差拡散などの処理と共に８ビットの電子画像データから２ビットの電子画像データに変換される。
【００５１】
尚、８ビットの電子画像データを誤差拡散などの処理を含めて２ビットの電子画像データに変換しているのは、多値２値変換を行っただけでは画質的に問題があるので、画質の劣化が少なくなるように配慮しているためである。このようにして、２値画像化された送信原稿は、所定の形式で圧縮され、メモリ５０２に記憶される。
【００５２】
次いで、相手先との送信手続きを行い送信可能な状態が確保されると、メモリ５０２から読み出され所定の形式で圧縮された送信原稿画像は、ファックスボード６０３側へと転送され、このファックスボード６０３上で圧縮形式の変更など必要な処理を施して、相手先に対して通信回線を介して順次送信されることとなる。
【００５３】
次に相手先から送信されてきた原稿画像の処理について説明する。相手先から通信回線を介して原稿が送信されてくると、ファックスボード６０３での通信手続きを行いながら、相手先から送信されてくる原稿画像を受信すると共に、所定の形式に圧縮された状態の受信画像は、サブ画像処理ボード５００の２値画像処理部５０１に設けられたファックスインターフェイスから２値画像処理部５０１へと設けられ、圧縮伸長処理部などによりページ画像として送信されてきた原稿画像を再現する。
【００５４】
そして、ページ単位の画像として再現された原稿画像は、メイン画像処理ボード４００側へと転送されてガンマ補正を行い、レーザコントロール４０４からＬＳＵ４６にて画像を再現するように画像の書き込みが制御される。
【００５５】
以上の構成から分かるように、画像情報に所定の処理を施す画像処理部は、主としてスキャナ部３１から読み込み入力された原稿画像を多値の画像情報として処理するメイン画像処理ボード４００と、このメイン画像処理ボード４００にて多値画像情報として処理された原稿画像情報に対して２値化処理などの所定の処理を施したり、外部インターフェイスを介して接続された機器から送られてきた画像情報に対して所定の処理を施した後、多値画像処理部（メイン画像処理ボード４００）側へと転送したりするサブ画像処理ボード５００とに分割された形で構成される。
【００５６】
また、メイン画像処理ボード４００には、画像をレーザ書き込みユニット４６から電子写真プロセスの感光体４８上に再現させるため、レーザ書き込みユニット４６の画像情報の書き込みを制御するためのレーザコントロール４０４が含まれている。
【００５７】
この構成により、スキャナ部３１から読み込み入力された原稿画像は、多値画像として原稿が有する画像の特徴を損なうことなくレーザ記録部３２からコピー画像として再現可能であり、大量の原稿を電子ＲＤＨ機能などを用いて高速出力処理する場合などは、サブ画像処理ボード５００、ハードディスク５０３などを用いることで可能となっている。
【００５８】
さらに、ファックス、プリンタなど外部機器からの画像情報に対する処理及び出力、ファックスに限ってはさらに、多値画像処理が施された（原稿画像の特徴が保たれた）送信画像に対する２値化処理など、デジタル画像形成装置３０として備えられたデジタルの特徴機能に合わせた画像情報に適切な処理を施すことが可能な構成となっている。
【００５９】
さらにまた、画像処理部を分散させることで、デジタル画像形成装置３０のバリエーション（ラインナップ）を多種多様揃えることが可能であり、ユーザの要望に合わせてデジタル画像形成機を設置することができ、また設置後もユーザの要望に合わせてシステム展開を簡単に図ることが可能である。
【００６０】
次に、メイン画像処理ボード４００上に配置された中央演算処理装置４０１は、上記構成においてサブ画像処理ボード５００をも管理制御しているので、それぞれの処理部において連続して処理される画像処理全体の流れが管理され、データ及び処理の流れもスムーズなものとなる（画像データが失われることもない）。
【００６１】
以上が、デジタル画像形成装置３０に搭載されているスキャナ部３１、あるいは外部インターフェイス６００から入力される画像データを処理する画像処理部の動作説明である。
【００６２】
この発明のファクシミリ送信及び再送信の実施形態をフローチャートに基づいて説明する。
【００６３】
ユーザがＲＡＤＦ３６に原稿をセットし、操作パネル１０３上の操作キー１０５を操作することにより、送信動作が開始される。送信動作の起動時には、送信手順と読み込み手順が各々起動され、独立して処理される。
【００６４】
各々の起動のタイミングは、送信モードにより異なる。メモリ送信が選択されている場合は、送信手順と読み込み手順を同時に起動し、通常送信モードが選択されている場合は、送信手順中のネゴシエーション終了後に読み込み手順を起動し、順次同報送信や時刻指定送信を行う場合などは、読み込み手順終了後に送信手順を起動する。尚、以降の説明（第１〜第４実施形態）ではフローチャートを複数の図面（図１〜図１４）に分けて図示していることから、図面番号は付さずにステップ番号で示す。
【００６５】
（本発明の第１の実施形態）
図１〜３に図示しているフローチャートに基づき説明すると、まず読み込み手順では、まず１回目の送信のための読み込みか、再送信のための読み込みかを判断し（図３のステップＳ１３０、以降Ｓ１３０というように略す）、１回目の送信のための読み込みであれば、読み込み読み込み完了枚数を０にリセットする（Ｓ１３１）。
【００６６】
次に原稿を１枚ピックアップし（Ｓ１３２）、原稿が読み込み開始位置に到達した時点で読み込みを開始し、スキャナ部３１で読み込んだ画像データは、スキャンバッファに記録され、画像圧縮伸長部で圧縮した後、「読み込み完了枚数＋１」ページ目のデータとしてメモリに記録される（Ｓ１３３、Ｓ１３４、Ｓ１３５）。このとき所定時間内に原稿が読み込み開始位置に到達しなければ、原稿ミスフィードエラーとして読み込み手順を異常終了する（Ｓ１３６）。
【００６７】
読み込み中に、原稿が読み込み終了位置に到達した時点で、原稿の読み込みを終了し、原稿の排出を行う（Ｓ１３７、Ｓ１３８）。このとき所定時間内に原稿が読み込み終了位置に到達しなければ、原稿ジャムエラーとして読み込み手順を異常終了する（Ｓ１３９）。
【００６８】
データの圧縮とメモリへの記録が終了した時点で、読み込み完了枚数に１を加算し（Ｓ１４１）、そして次のページが有れば、ピックアップからの処理（Ｓ１３２）を繰り返し、次のページがない場合には読み込み手順を正常終了する。
【００６９】
データの圧縮中にメインメモリ上の画像記録領域においてメモリフルが発生した場合、送信中であれば送信完了したデータから順に消去することができるため、メモリの空き領域が確保でき次第、圧縮処理を継続するが、送信が行なわれていなければメモリを開放する見込みが立たないことから、圧縮処理を中断し読み込み手順を異常終了する（Ｓ１４３、Ｓ１４４）。
【００７０】
送信手順では、本送信が再送信であるか否かを判断し（Ｓ１０１）、再送信でなければ送信完了枚数をリセットする（Ｓ１０４）。普通に送信が開始された場合は、再送信ではないので、ここでは必ず送信完了枚数がリセットされることとなる。
【００７１】
次にモデム部６０３ｃとＮＣＵ６０３ｄを介してＣＮＧ信号の送出、ネゴシエーション、トレーニング等の公知であるファクシミリ送信手順を実行する（Ｓ１０５、Ｓ１０７、Ｓ１０９）。このとき、相手（被呼側）からの応答がなかったり、ファクシミリ手順の違反や読み込み手順の異常終了が発生したときには、回線を切断しエラー処理を実行する（Ｓ１０６、Ｓ１０８、Ｓ１１０、Ｓ１１７）。
【００７２】
トレーニングまでが正常に終了した場合、送信データの準備が完了するまで待機し（Ｓ１１１）、モデム部６０３ｃとＮＣＵ６０３ｄを介して「送信完了枚数＋１」ページ目の画像データを送信する（Ｓ１１２）。画像データの送信中に通信トラブルが発生した場合は、回線を切断し、エラー処理を行う（Ｓ１１３）。
【００７３】
次いで、１ページ分のデータ送信が完了した時点で、送信完了枚数に１を加算し（Ｓ１１４）、次ページがあれば、前述の画像データ送信処理（Ｓ１１０）から処理を繰り返し、次ページがなければ、ファクシミリ手順の終了処理を行い、回線を切断する（Ｓ１１６）。この場合は、正常に終了したため、ファクシミリ装置はスタンバイ状態に戻る。
【００７４】
前述の処理中に各種トラブルにより回線が切断された場合には、以下の処理を行う。まず、まだ読み込み手順に従い、読み込みが継続されている場合は、読み込みが正常か否かに関わらず終了するのを待つ（Ｓ１１８）。読み込み終了後、読み込みが正常に終了したか、もしくは読み込みが異常終了したが残りの原稿の読み込み再開が可能であれば、再送信モードとなり、再送信の条件を満たした時点で再び送信手順が起動される（Ｓ１１９、Ｓ１２０）。
【００７５】
読み込み終了後、読み込みが異常終了していて、且つ残りの原稿の読み込みの再開が不可能な場合は、操作パネル１０３上のＬＣＤ１０４に原稿の戻し枚数として、「読み込み完了枚数−送信完了枚数＋１」を表示等して告知し、ユーザに対して、排出された原稿のうち何枚を再セットして再送信を行わなければならないかを告知する（Ｓ１２１、Ｓ１２２）。この場合、ユーザは表示された戻し枚数に従い、原稿を再セットし、手動で再送信することとなる。それまでの間に他のファクシミリ送信や受信のためにメインメモリが使用される可能性があるので、メモリ中の画像データを消去し、本送信を終了する（Ｓ１２３）。
【００７６】
前述の再送信モードから再び送信手順が起動された場合、まず読み込みが正常終了しているか否かを判断し、正常終了していなければ、残りの原稿の読み込みを行うために、読み込み手順を起動する。このとき、読み込み手順では、再送信のための読み込みであるため、読み込み完了枚数がリセットされずに、読み込み済みでメモリに記録されているデータの続きとして原稿を読み込むこととなる。
【００７７】
これ以降の動作は、１回目の送信時と同様に行なわれるが、結果として既に読み込まれている原稿は、メモリから送信され、それに続いて未読み込みの原稿が読み込まれた後、順次送信される。
【００７８】
（本発明の第２の実施形態）
本実施形態の処理フローのうち、図４は第１実施形態の図１と実質的に同等なものであり、図５のＳ２１８〜Ｓ２２０以外の部分も第１実施形態の図２のＳ１１０〜Ｓ１１８と同等なものである。さらに、図６、図７のＳ２３６〜Ｓ２４９は第１実施形態の図３のＳ１３１〜Ｓ１４４と同等なものである。
【００７９】
図４〜図７に図示しているフローチャートに基づき第２実施形態の説明を行うと、読み込み手順では、まず１回目の送信のための読み込みなのか、再送信のための読み込みであるのかが判断され（Ｓ２３０）、１回目の送信のための読み込みであれば、読み込み完了枚数をリセットし（Ｓ２３６）、再送信のための読み込みであれば、読み込み完了枚数分だけ原稿をピックアップし、読み込まずにそのまま排出することとなる（Ｓ２３１〜Ｓ２３５）。
【００８０】
それ以降のページに関しては、第１実施形態と同様にして、原稿ミスフィード、原稿ジャム、送信実行中以外のメモリフルが発生した場合、読み込み手順を異常終了し、前述の各エラーが発生しない場合は、全ての原稿を読み込み、メモリに記録する（Ｓ２３７〜Ｓ２４９）。
【００８１】
送信手順においては、各種トラブルにより回線切断した後のエラー処理（Ｓ２１８〜）が第１実施形態と異なる。まず、まだ読み込み手順に従い読み込みが継続されている場合は、読み込みが正常か否かに関わらず、読み込みが終了するまで待つ（Ｓ２１７）。読み込み終了後、読み込みが正常に終了したか否かを判断し（Ｓ２１８）、読み込みが正常に終了した場合であれば、再送信モードとなり、再送信の条件を満たした時点で、再び送信手順が起動される。
【００８２】
読み込みが異常終了した場合は、ユーザに全ての原稿を再びセットさせる指示を操作パネル１０３上のＬＣＤ１０４に表示し（Ｓ２１９）、原稿が再セットされるのを待つ（Ｓ２２０）。原稿が再セットされた時点で、再送信モードに入り、再送信の条件を満たした時点で、再び送信手順が起動される。
【００８３】
前述の再送信モードから再び送信手順が起動された場合、まず読み込みが正常終了しているか否かを判断し、正常終了していなければ、残りの原稿の読み込みを行うために、読み込み手順を起動する。このとき読み込み手順では、再送信のための読み込みであるため、読み込み済みの原稿は自動的に排出し、なおかつ読み込み完了枚数をリセットしないので、読み込み済みでメモリに記録されているデータの続きとして原稿を読み込む。
【００８４】
これ以降の動作は、第１回目の送信時と同様に行なわれるが、結果として既に読み込まれている原稿は、画像メモリから送信され、それに続いて未読み込みの原稿が読み込まれた後、順次送信される。
【００８５】
尚、再送信を行う際に、原稿が未読み込みであるか既読み込みであるかの判断は、原稿の所定領域をスキャンすることで読み込んだデータと、画像メモリに記憶されている対応する部位のデータとを比較することで行ってもよい。この場合、完全に一致しているか否かを判断するには、原稿の全体を読み込んだデータと対応するデータを比較する必要があるが、この方法だと読み込み処理を減らす効果を期待できないので、例えば原稿の頁番号の付された部分や、原稿のうちの特徴のある領域部分のみをスキャンして比較するようにすればよい。
【００８６】
（本発明の第３の実施形態）
本実施形態の処理フローのうち、図８は第１実施形態の図１とＳ３０５、Ｓ３０６以外の部分は同等なものであり、図９のＳ３１４〜Ｓ３１７、Ｓ３２０、Ｓ３２１、Ｓ３２５〜Ｓ３２７以外の部分も第１実施形態の図２と同等なものである。さらに、図１０も第１実施形態の図３のＳ１３０以外は同等なものである。
【００８７】
図８〜図１０に図示しているフローチャートに基づき第３実施形態の説明を行うと、まず読み込み手順では、１回目の送信のための読み込みか、再送信のための読み込みかに関わらず、必ず読み込み完了枚数をリセットし（Ｓ３３０）、以降の処理（Ｓ３３１〜）は、第１実施形態と同様にして、原稿ミスフィード、原稿ジャム、送信実行中以外のメモリフルが発生した場合、読み込み手順を異常終了し、前述の各エラーが発生しない場合は、全ての原稿を読み込みメモリに記録する。
【００８８】
送信手順では、本送信が再送信であるか否かを判断し（Ｓ３０１）、再送信でなければ送信完了枚数をリセットし（Ｓ３０３）、普通に送信が開始された場合は、再送信ではないので、ここでは必ず送信完了枚数はリセットされる。以降、１回目の送信においては、トラブル時のエラー処理（Ｓ３２３〜）を除いて第１実施形態と同様の処理を行う（Ｓ３０７〜）。
【００８９】
各種トラブルにより回線が切断された場合は、以下の処理を行う。まず、まだ読み込み手順に従い読み込みが継続されている場合は、読み込みが正常か異常かに関わらず終了するのを待つ（Ｓ３２３）。読み込み終了後、読み込みが正常に終了したか否かを判断し（Ｓ３２４）、読み込みが正常に終了した場合であれば、再送信モードとなり、再送信の条件を満たした時点で、再び送信手順が起動される。
【００９０】
読み込みが異常終了した場合は、ユーザに全ての原稿を再びセットさせる指示を操作パネル１０３上のＬＣＤ１０４に表示し（Ｓ３２６）、原稿が再セットされるのを待つ（Ｓ３２７）。このとき、未送信原稿のデータは一旦メモリから消去され（Ｓ３２５）、原稿が再セットされた時点で、再送信モードに入り、再送信の条件を満たした時点で、再び送信手順が起動される。
【００９１】
前述の再送信モードから再び送信手順が起動された場合、まず読み込みが正常終了しているか否かを判断し（Ｓ３０２）、正常終了していなければ、再び全ての原稿の読み込みを行うために読み込み手順を起動する（Ｓ３０４）。このとき読み込み手順では、送信完了枚数に関係なく１ページ目から原稿を読み込む。そして送信完了枚数を前回送信完了枚数として保存しておき、送信完了枚数をリセットする（Ｓ３０５、Ｓ３０６）。尚、ＣＮＧ送出、ネゴシエーション、トレーニングに関しては、第１実施形態と同様の処理を行う（Ｓ３０７〜Ｓ３１３）。
【００９２】
続いて画像データの送信において、メモリから「送信完了枚数＋１」ページ目以降を送信する。つまり、前回読み込みが正常終了している場合は、送信済みページの続きから送信され、前回読み込みが異常終了している場合は、１ページ目から送信されることとなる。
【００９３】
このとき、前回の読み込みが異常終了しているか否かを判断し（Ｓ３１４）、異常終了であった場合、すなわち全原稿再送信の場合には、「前回送信完了枚数」と「送信完了枚数」を比較し（Ｓ３２０）、「前回送信完了枚数＞送信完了枚数」である間は、原稿データに対して、再送信であることを示すデータを付与して送信を行う（Ｓ３２１）。正常終了であった場合には原稿データをそのまま送信することとなる（Ｓ３１５）。
【００９４】
（本発明の第４の実施形態）
第４の実施形態として、図１１、図１２に受信側のフロー、図１３、図１４に送信側のフローを夫々図示し、以下に説明する。本実施形態の処理フローのうち、図１３は第３実施形態の図８に対し、Ｓ４３５、Ｓ４３６を追加した以外の部分は同等なものであり、図１４は図９のＳ３２０、Ｓ３２１以外の部分は同等なものである。
【００９５】
まず、図１３において、第３の実施形態に係る図８のＳ３０９のネゴシエーションに対応するステップ処理の直前に、以下の処理を行う。すなわち、図８のＳ３１４と同等に、前回の読み込みが異常終了しているか否かを判断しする。
【００９６】
判断の結果、異常終了の場合即ち全原稿再送信の場合（Ｓ４３５でＹｅｓの場合）には、「前回送信完了枚数」の値を、非標準手順の信号ＮＳＳとして受信側へ送信する。例えば前回送信完了枚数が5枚であれば、値「5」を送信する。
【００９７】
このように処理することで、以降の送信側処理として、図９のＳ３２１における「再送信マークを付加して、原稿データ記録部より（送信完了枚数＋１）ページ目データ通信」という処理については不要となり、前述したように、図１４では図９のＳ３２０、Ｓ３２１に対応する処理は省かれる。
【００９８】
図１１に図示するフローチャートを基にして、以下に受信側の動作を説明する。まず受信待機（Ｓ４０１）していた受信側がＣＮＧ信号を受信すると（Ｓ４０２）、送信側に対して応答信号を発信し（Ｓ４０３）、受信側は前回送信完了枚数の値をＮＳＳ信号として受け取り（Ｓ４０４）、トレーニングした後に（Ｓ４０５）、画像信号受信が行われる（Ｓ４０６）。
【００９９】
画像信号受信の際には、Ｓ４０４で受け取った前回完了枚数に基づき、現在受信している頁数が前回送信完了枚数の値以下か否かが判断され（Ｓ４０７）、前回送信完了枚数の値以下であれば（Ｓ４０７でＹｅｓの場合）、受信した画像信号は前回送信済みのものであり、再送信であることを表示するデータを付与し（Ｓ４０８）、画像を出力する（Ｓ４０９）。即ち例えば、受信した画像に対して、1枚目から5枚目まで、再送信であることを示す画像データを付与する。
【０１００】
一方、前回送信完了枚数の値以下でなければ（Ｓ４０７でＮｏの場合）、そのまま画像が出力され（Ｓ４０９）、次のページの有無が確認される。次のページがあれば（Ｓ４１０でＹｅｓの場合）、再びＳ４０６に処理が戻り、Ｓ４０６〜Ｓ４１０までの処理を繰り返す。そして次のページがなければ（Ｓ４１０でＮｏの場合）、回線を切断し（Ｓ４１１）、通信を終了する（Ｓ４１２）。このようにすることで、送信側で決められた画像データが付与されてしまうことが無く、受信側で任意の位置、任意のメッセージを付与することができる。
【０１０１】
図１２のフローを基に、他のパターンについて、受信側がメモリー受信可能な場合を以下に説明する。図１２は図１１と比較して、Ｓ４１７以降の処理が異なっている。即ち、Ｓ４１７でトレーニングの後、次のページがある間は画像信号を一旦記憶する（Ｓ４１８〜Ｓ４２０）。
【０１０２】
次いで回線切断後（Ｓ４２１）、再送信されたデータを除去するか否かを例えばユーザが認識できるように表示等させ、除去する場合には（Ｓ４２２でＹｅｓの場合）、再送信データを確定し（Ｓ４２３）、再送信データを除去し（Ｓ４２４）、画像出力を行う。一方、再送信データを除去しない場合には（Ｓ４２２のＮｏの場合）、そのまま画像出力することとなる。
【０１０３】
このようにすれば、例えば受信側がメモリー受信可能な機種である場合に、前回送信完了枚数の値を、ＮＳＳ信号として受け取った後、再送信の画像データを全て記憶し通信完了後、記録紙出力前に、前回送信完了枚数の値を基に、記憶された画像データの前回送信分（1枚目から5枚目）については受信側ユーザの要求に応じて削除してしまい、出力を行わないようにすることができる。
【０１０４】
従って、受信側ユーザの必要に応じて再送信画像データの記録紙出力を行うことができ、必要な場合のみ、再送信部分を出力することができ、記録紙の浪費を避けることができる。尚、当然の事ながら、本実施形態においては、受信側が、前回送信完了枚数をＮＳＳとして受信した場合に対応可能であることはいうまでもない。
【０１０５】
以上が本発明の実施形態の説明であるが、本発明は上記実施形態に限定されるものでないことは勿論である。例えば、上記実施形態では、デジタル画像形成装置にファクシミリ機能を備えた場合の実施形態を例示しているが、デジタル画像形成装置に代えて、ファクシミリ装置の単独、マルチファンクションプリンタ等にファクシミリ機能を有する場合等に適用してもよい。
【０１０６】
また本発明の画像情報伝送装置又は画像情報伝送システムは所謂電話回線で接続されたファクシミリ装置、ファクシミリ機能以外の伝送装置、伝送機能であってもよい。例えば本発明をシステムとして捉え、画像読み込み部を外部スキャナ、記憶部をパソコン等の情報処理装置のメモリ、画像記録部をネットワーク共有されたプリンタ等の画像形成装置、通信手段をネットワークインターフェイス（ネットワークアダプタ）等で構成し、ネットワーク経由で情報処理装置間で画像情報を伝送するように構成されたシステム（電子ファイルシステム等）に、図１〜図１０に係る処理を行うプログラムを設けておき、本発明を適用してもよい。尚、上記構成は一体的に設けられてもよいし、例えばスキャナや画像形成部を別体で設けるようにして、全部又は一部が別体であってもよい。
【０１０７】
さらに、本発明の構成の制御部分（図１〜図１０）の一部又は全部をハードウェア又は情報処理装置が読み込み可能な記録媒体に記録されたソフトウェアで構成してもよいことはいうまでもない。
【０１０８】
【発明の効果】
第１番目の発明によれば、送信トラブルにより送信が中断するまでに上記通信手段が送信を完了した原稿枚数を記憶する送信枚数記憶手段と、上記原稿読み込み手段が読み込みを完了し上記画像記憶手段に記憶済みの原稿枚数を記憶する読み込み枚数記憶手段とを備えたことを特徴としているので、画像情報伝送装置において、送信トラブルが発生し、送信が中断された場合であっても、読み込みを完了した原稿と、送信を完了した情報とを区別して適切に管理でき、状況に応じて効率よく確実に再送信を行うことが可能となるという効果がある。また、全原稿を再送信する際には、上記送信枚数記憶手段の記憶情報に基づき、送信データに対し未送信原稿と送信済原稿を識別するための識別情報を付加することを特徴とするので、例えば送信済みの原稿も含めて再送信する場合であっても、混乱することなく、識別情報により送信元で簡単に識別することができ、受信元でわざわざ受信済みの原稿と新たに受信した原稿を分類するという煩雑な作業が不要となる。
【０１１２】
第２番目の発明によれば、第１番目の発明において、送信トラブルにより送信が中断し上記原稿読み込み手段に原稿をセットして再送信を行う際、上記読み込み枚数記憶手段の記憶する読み込み済原稿枚数に基づき、上記原稿読み込み手段にセットされた原稿のうち、読み込み済原稿は読み込みを行わず、未読み込み原稿のみ読み込みを行うことを特徴とするので、送信済みか否かや読み込み済みか否かを考えて原稿を分類する必要がなく、装置側で自動的に原稿を抽出して処理することができ、作業性が向上すると共に、状況に応じて確実に再送信することができ、原稿が開放されるまでの時間を短縮できる。
【０１１３】
【補正の内容】
第３番目の発明によれば、第１番目の発明において、送信トラブルにより送信が中断し上記原稿読み込み手段に原稿をセットして再送信を行う際、上記原稿読み込み手段が読み込んだ所定領域の読み込み情報と上記画像記憶手段に記憶された対応する領域の画像情報を比較し、前記読み込み情報と前記画像情報が一致する原稿については原稿読み込みを行わず、一致しない原稿のみ読み込みを行うことを特徴とするので、原稿を再送信する際の読み込み順序を考えることなく、原稿の順序が入れ替わった場合でも、読み込み手段で読み込ませるだけで、必要な原稿のみを再送信させることができ、読み込み済みの原稿を再度全て読み込むという時間ロスを防止できる。
【図面の簡単な説明】
【図１】本発明の第１の実施形態に係るフローチャートである。
【図２】本発明の第１の実施形態に係るフローチャートである。
【図３】本発明の第１の実施形態に係るフローチャートである。
【図４】本発明の第２の実施形態に係るフローチャートである。
【図５】本発明の第２の実施形態に係るフローチャートである。
【図６】本発明の第２の実施形態に係るフローチャートである。
【図７】本発明の第２の実施形態に係るフローチャートである。
【図８】本発明の第３の実施形態に係るフローチャートである。
【図９】本発明の第３の実施形態に係るフローチャートである。
【図１０】本発明の第３の実施形態に係るフローチャートである。
【図１１】本発明の第４の実施形態に係るフローチャートである。
【図１２】本発明の第４の実施形態に係るフローチャートである。
【図１３】本発明の第４の実施形態に係るフローチャートである。
【図１４】本発明の第４の実施形態に係るフローチャートである。
【図１５】本発明の実施形態に係るデジタル画像形成装置の全体構成を示す断面図である。
【図１６】本発明の実施形態に係るデジタル画像形成装置の回路構成を説明するための回路ブロック図である。
【符号の説明】
３０  デジタル画像形成装置
３１  スキャナ部
３２  レーザ記録部
３５  原稿載置台
４０  スキャナユニット
４６  レーザ書き込みユニット
４７  電子写真プロセス部
４８  感光体ドラム
１００  オペレーションパネルボード
１０１、２０１、４０１  中央演算処理装置
１０２、４０３、５０２  メモリ
１０３  操作パネル
１０４  ＬＣＤ画面
１０５  操作キー群
２０３  ＡＤＦ、ＲＡＤＦ
２０４  スキャナ部
３００  ＣＣＤボード
３４１、３４２  排出トレイ
４００  メイン画像処理ボード
４０４  レーザコントロール
５０３  ハードディスク
６０１  プリンタボード
６０３  ファックスボード
【図１】
0003670535.tif 000002
【図２】
0003670535.tif 000003
【図３】
0003670535.tif 000004
【図４】
0003670535.tif 000005
【図５】
0003670535.tif 000006
【図６】
0003670535.tif 000007
【図７】
0003670535.tif 000008
【図８】
0003670535.tif 000009
【図９】
0003670535.tif 000010
【図１０】
0003670535.tif 000011
【図１１】
0003670535.tif 000012
【図１２】
0003670535.tif 000013
【図１３】
0003670535.tif 000014
【図１４】
0003670535.tif 000015
【図１５】
0003670535.tif 000016
【図１６】
0003670535.tif 000017